(57)【要約】【課題】この発明は、従来の高層ビル等の給水配管システムにおける問題点を解消し、配管を簡略化できると共に衛生的な給水配管システムおよびこのシステムに使用する弁体を提供する。【解決手段】高落差の給水配管において、所定落差毎に減圧弁が設けられて部分管路が形成され、二次側の部分管路圧力が所定圧力に減圧したことを検知して減圧弁が開き、所定圧力に昇圧したことを検知して減圧弁が閉じるように構成され、各減圧弁には並列に一次側の圧力が所定圧力に昇圧したことを検知して開くリリーフ弁が設けられていることを特徴とする給水配管システム。【選択図】  図１
2004360375.tif 000002
【特許請求の範囲】
【請求項１】
高落差の給水配管において、所定落差毎に減圧弁が設けられて部分管路が形成され、二次側の部分管路圧力が所定圧力に減圧したことを検知して減圧弁が開き、所定圧力に昇圧したことを検知して減圧弁が閉じるように構成され、各減圧弁には並列に一次側の圧力が所定圧力に昇圧したことを検知して開くリリーフ弁が設けられていることを特徴とする給水配管システム。
【請求項２】
最下層の部分管路には、一次側の圧力が所定圧力に昇圧したことを検知して開くリリーフ弁が設けられ、このリリーフ弁の二次側が排水管に接続されていることを特徴とする請求項１記載の給水配管システム。
【請求項３】
並列に設けられてなる減圧弁とリリーフ弁が、シリンダー内に二次側の流体圧力に対応して流路を開閉するピストンを備えた減圧弁と、シリンダー内に一次側の流体圧力に対応して流路を開閉するピストンを備えたリリーフ弁とが一体に組付けられ、減圧弁のシリンダーには一方の端部に開弁圧力調整ばねが設けられ、他方の端部が二次側管路に連結する流路が設けられ、リリーフ弁のシリンダーの一方の端部に開弁圧力調整ばねが設けられ、他方の端部に一次側管路に連結する流路が設けられてなる弁体であることを特徴とする請求項１または請求項２記載の給水配管システム。
【請求項４】
所定落差毎に減圧弁が設けられて部分管路が形成されてなる高落差の給水配管システムにおいて使用される弁体であって、枠体内に、シリンダー内に二次側の流体圧力に対応して流路を開閉するピストンを備えた減圧弁と、シリンダー内に一次側の流体圧力に対応して流路を開閉するピストンを備えたリリーフ弁とが組付けられ、減圧弁のシリンダーには一方の端部に開弁圧力調整ばねが設けられ、他方の端部が二次側管路に連結する流路が設けられ、リリーフ弁のシリンダーの一方の端部に開弁圧力調整ばねが設けられ、他方の端部に一次側管路に連結する流路が設けられていることを特徴とする弁体。
【発明の詳細な説明】
【０００１】
【発明の属する技術分野】
この発明は、屋上に設置された貯水槽から給水する高層ビルの給水配管システムや高所の水源池から低所の農地に水を引く灌漑用給水配管システム等、高落差の給水配管システムおよびこのシステムに使用される弁体に関するものである。
【０００２】
【従来の技術】
従来、高層ビルや高層住宅の水道配管等においては、屋上に設置された貯水槽から重力で給水する方式が多い。５階程度のビルにおいては特に考慮する必要はないが、高層ビル等においては、給水配管が連続していると、下層階になるに従って１０ｍ毎に１ｋｇ／ｃｍ２づつ加圧され、水道水が蛇口から噴出することになる。
そこで、従来から、各階の水道水の水圧を適度なものとするために、数階から十数階毎の所定落差毎に、減圧弁を設置して所定水圧内の部分管路を形成する配管システムが採用されている。即ち、各階の水道水の水圧を２〜３ｋｇ／ｃｍ２程度に調節するために、５〜６階毎に上下方向の縦給水配管に減圧弁を組み込み、５〜６階単位の部分管路を形成し、ある部分管路において水を使用することにより水道水圧が低下すると、減圧弁が検知して減圧弁を開き、上層の部分管路から水道水が流下する。この水道水の流下により上層の部分管路の水道水圧が低下すると、更に上層階の部分管路から水道水が流下することを繰り返し、高層ビル全体の水道水圧が均等に保たれるようになっている。
【０００３】
しかし、減圧弁は水道水の使用に対応して常時動作を繰り返しているため、止水用のパッキングなどが消耗し易く、止水が完全に行われなくなり、部分管路間の止水に漏れが生じることがある。部分管路間に漏れが生じると、ある部分管路内で水道水の使用がない時に、上方の部分管路から漏れてくる水道水により、その部分管路における水道水圧が異常に高くなることがあり、このため、配管の接続部で漏水したり、強度の弱い配管部分で破損が生じるなどの問題が起こることがあった。
そこで、従来から、部分管路毎に、一次側の水道水圧が常用水圧より高い所定の水圧になると、この部分管路から水道水を排出するリリーフ弁が取付けられている。
【０００４】
【発明が解決しようとする課題】
従来、高層ビルの各部分管路に取付けられているリリーフ弁は、部分管路の出口側に設置され、その部分管路の最大となる一次側水圧を検知して、異常に高い水圧を検知すると弁が開くように作動し、リリーフ弁からの排水は、排水管に接続されて排水されるようになされている。リリーフ弁を排水管に直接接続すると非衛生的であるので、逆止弁付きのリリーフ弁が使用されている。
しかし、このリリーフ弁は減圧弁と全く別個に設置され、配管されているので、配管が複雑となり、施工が煩雑となると共に、排水管に接続されているので、各部分管路に設置するリリーフ弁として逆止弁付きのリリーフ弁を使用しなければならず、コスト高になるという問題があった。また、異常高圧となった水道水はリリーフ弁を通して排水管に排水されるので水道水の無駄となっていた。
【０００５】
【課題を解決するための手段】
この発明は、上述のような従来の高層ビル等の給水配管システムにおける問題点を解消し、配管を簡略化できると共に衛生的な給水配管システムおよびこのシステムに使用する弁体を提供することを目的とする。
【０００６】
請求項１記載の給水配管システムは、高落差の給水配管において、所定落差毎に減圧弁が設けられて部分管路が形成され、二次側の部分管路圧力が所定圧力に減圧したことを検知して減圧弁が開き、所定圧力に昇圧したことを検知して減圧弁が閉じるように構成され、各減圧弁には並列に一次側の圧力が所定圧力に昇圧したことを検知して開くリリーフ弁が設けられていることを特徴とする。
このように、リリーフ弁が減圧弁と並列に設置されたものとすることにより、部分管路に設けられる減圧弁と並列にリリーフ弁を設置すればよいため、配管施工作業が簡略化されると共に、リリーフ弁の二次側は給水管路に接続されているので、衛生的である。
また、配管システムの減圧弁等の消耗で、異常な高圧となった部分管路における水道水は、リリーフ弁を通して下方の部分管路に排出されていき、水道水として使用されるので、水道水の無駄を無くすことができる。
【０００７】
また、請求項２記載の給水配管システムは、請求項１記載の給水配管システムにおいて、最下層の部分管路には、一次側の圧力が所定圧力に昇圧したことを検知して開くリリーフ弁が設けられ、このリリーフ弁の二次側が排水管に接続されていることを特徴とする。
最下層の部分管路において異常な高圧となった水道水は、このリリーフ弁を通して排水管に排出されるが、排水管との接続は最下層だけなので、排水用のリリーフ弁についてのみ逆止弁付きのものとすれば、給水配管全体を衛生的に保持できる。
【０００８】
また、請求項３記載の給水配管システムは、請求項１または請求項２記載の給水配管システムにおいて、並列に設けられてなる減圧弁とリリーフ弁が、シリンダー内に二次側の流体圧力に対応して流路を開閉するピストンを備えた減圧弁と、シリンダー内に一次側の流体圧力に対応して流路を開閉するピストンを備えたリリーフ弁とが一体に組付けられ、減圧弁のシリンダーには一方の端部に開弁圧力調整ばねが設けられ、他方の端部が二次側管路に連結する流路が設けられ、リリーフ弁のシリンダーの一方の端部に開弁圧力調整ばねが設けられ、他方の端部に一次側管路に連結する流路が設けられてなる弁体であることを特徴とする。
このように、減圧弁とリリーフ弁とが一体に組付けられ、それぞれのピストンの他方の端部に二次側管路および一次側管路に連結する流路が設けられているので、一次側接続部と二次側接続部をそれぞれ一つだけ設けた弁体となっており、部分管路への取付けも、一次側接続部と二次側接続部を一箇所づつで良いものとなり、施工が簡単となり、弁体の設置スペースも取らない配管が可能となる。
【０００９】また、請求項４記載の弁体は、所定落差毎に減圧弁が設けられて部分管路が形成されてなる高落差の給水配管システムにおいて使用される弁体であって、枠体内に、シリンダー内に二次側の流体圧力に対応して流路を開閉するピストンを備えた減圧弁と、シリンダー内に一次側の流体圧力に対応して流路を開閉するピストンを備えたリリーフ弁とが組付けられ、減圧弁のシリンダーには一方の端部に開弁圧力調整ばねが設けられ、他方の端部が二次側管路に連結する流路が設けられ、リリーフ弁のシリンダーの一方の端部に開弁圧力調整ばねが設けられ、他方の端部に一次側管路に連結する流路が設けられていることを特徴とする。
このように、減圧弁とリリーフ弁とが一体に組付けられ、それぞれのピストンの他方の端部に二次側管路および一次側管路に連結する流路が設けられているので、入口側となる一次側接続口と出口側となる二次側接続口をそれぞれ一つづつ設けた弁体となっており、減圧弁とリリーフ弁との機能を併せ持ったコンパクトな弁体となる。従って、部分管路への取付けスペースも取らず、施工も簡単である。
【００１０】
【発明の実施の形態】
この発明の実施の形態を実施例に基づき図面を参照して説明する。図１は本発明の給水配管システムの一実施例を示す説明図である。
この実施例は、高層ビルにおける給水配管システムの概念を説明するためのもので、図で、Ｔは屋上に設置された給水槽、Ｌは給水管路である。給水管路Ｌは５階毎に区切って、高層側から部分管路Ｌ０、部分管路Ｌ１、部分管路Ｌ２、部分管路Ｌ３、・・・・、最下層の部分管路Ｌｎが形成されている。
５階毎に区切って部分管路を形成するのは、ビル居室の１階部分の高さが約３ｍであるから、５階では約１５ｍとなり、この部分管路の最も低い位置と最も高い位置との水圧の差は約１．５ｋｇ／ｃｍ２となり、水道水圧の変動範囲の上限に近くなるからである。
【００１１】
そして、Ｄは減圧弁、Ｒはリリーフ弁である。最高層の部分管路Ｌ０には、減圧弁もリリーフ弁も設けられず、次に高い部分管路Ｌ１には、減圧弁Ｄ１のみが設けられ、リリーフ弁Ｒは設けられず、その次に高い部分管路Ｌ２から最下層の部分管路Ｌｎまでの全ての部分管路においては、それぞれ部分管路Ｌ２には減圧弁Ｄ２と並列にリリーフ弁Ｒ２が設けられ、部分管路Ｌ３には減圧弁Ｄ３と並列にリリーフ弁Ｒ３が設けられ、・・・・、部分管路Ｌｎには減圧弁Ｄｎと並列にリリーフ弁Ｒｎが設けられている。
【００１２】
最高層の部分管路Ｌ０には減圧弁もリリーフ弁も設けられていない理由は、部分管路Ｌ０の上方には、屋上に設置された給水槽Ｔのみであるので、部分管路Ｌ０にかかる最大の水圧は、５階分の高さ１５ｍと給水槽Ｔの高さ分約３ｍ程度であり、部分管路Ｌ０の最も低い位置でも１．８ｋｇ／ｃｍ２程度の水圧しかかからないことによる。
【００１３】
また、最高層の次の部分管路Ｌ１に減圧弁Ｄ１のみが設けられ、リリーフ弁Ｒが設けられていない理由は、この部分管路Ｌ１の一次側は部分管路Ｌ０であり、部分管路Ｌ０における水圧は５階分の高さ１５ｍと給水槽Ｔの高さ分約３ｍであり、部分管路Ｌ０の最も低い位置でも１．８ｋｇ／ｃｍ２程度であるから、部分管路Ｌ１の最も低い位置でかかる最大水圧は１．５ｋｇ／ｃｍ２加えて３．３ｋｇ／ｃｍ２であり、リリーフ弁は必要ないことによる。
【００１４】
また、部分管路Ｌ２から最下層の部分管路Ｌｎまでの全ての部分管路においては、減圧弁Ｄと並列にリリーフ弁Ｒが設けられ、これらの減圧弁Ｄとリリーフ弁Ｒは各部分管路の高い位置に設けられている。例えば、部分管路Ｌ３においては、この部分管路Ｌ３の最も高い位置における水圧を減圧弁Ｄ３の二次側で検知している。部分管路Ｌ３において水道水を使用して、最低水圧（例えば、０．５ｋｇ／ｃｍ２）となると、減圧弁Ｄ３が開き、上方の部分管路Ｌ２から水道水が流下する。
水道水が流下して部分管路Ｌ３の水圧が上昇し、減圧弁Ｄ３の二次側の水圧が最高水圧（例えば、２．０ｋｇ／ｃｍ２）になると、減圧弁Ｄ３が閉じる。
【００１５】
尚、この時、部分管路Ｌ２では、水道水が流下するので、この部分管路Ｌ２内で水道水を使用しなくても、水圧が下がる。この部分管路Ｌ２の減圧弁Ｄ２が最低水圧（例えば、０．５ｋｇ／ｃｍ２）を検知すると、減圧弁Ｄ２が開き上層の部分管路Ｌ１から水道水が流下する。
このようにある部分管路の作動が上方の部分管路に影響して減圧弁Ｄが連動するように作動することにより、各部分管路が所定の水圧の範囲内に保持されるのである。
【００１６】
また、リリーフ弁Ｒは次ぎのように作動する。例えば、部分管路Ｌ３で水道水の使用がなく、減圧弁Ｄ３の止水性が悪くて、上層の部分管路Ｌ２から水道水が漏れてきて、部分管路Ｌ３の水圧が徐々に高くなるような場合がある。
通常、部分管路Ｌ３では、最も高い位置での水圧が、例えば、０．５〜２．０ｋｇ／ｃｍ２の範囲、最も低い位置での水圧が、２．０〜３．５ｋｇ／ｃｍ２の範囲であるが、上層の部分管路Ｌ２から漏れてくる水道水があると、上層の部分管路Ｌ２の水圧が加わることになる。即ち、上層の部分管路Ｌ２の高さに相当する水圧１．５ｋｇ／ｃｍ２が加わり、部分管路Ｌ３の最も低い位置での水圧は、５．０ｋｇ／ｃｍ２となる。水圧が５．０ｋｇ／ｃｍ２にもなると、蛇口を少し開けただけで水道水が噴出し、水道水を使い難くなると共に、部分管路の配管材料が低水圧用の合成樹脂製管材の場合には破損の虞が生じる。
【００１７】
そこで、一つ下層の部分管路Ｌ４に設けられているリリーフ弁Ｒ４がこの異常に昇圧した水圧を検知し、水道水の使用に支障がなく、給水配管材の破損の虞のない水圧、例えば、４．０ｋｇ／ｃｍ２になると、リリーフ弁Ｒ４が開き、部分管路Ｌ３の水道水を部分管路Ｌ４に流下させるように調整される。部分管路Ｌ３の水圧が通常の使用水圧、例えば、リリーフ弁Ｒ４の一次側水圧が３．５ｋｇ／ｃｍ２まで下がると、リリーフ弁Ｒ４が閉じる。
【００１８】
部分管路Ｌ４の最も低い位置における水圧、即ち部分管路Ｌ５（図示省略）に設けられているリリーフ弁Ｒ５（図示省略）が検出する水圧が異常水圧、例えば、４．０ｋｇ／ｃｍ２を検出すると、リリーフ弁Ｒ５（図示省略）が開き、部分管路Ｌ４の水道水を部分管路Ｌ５（図示省略）に流下させる。
このようにして、ある部分管路で水圧が異常に高くなると、下層のリリーフ弁が開き、水圧を調節するようになっている。
【００１９】
また、Ｒｚは逆止弁付きリリーフ弁で、最下層の部分管路Ｌｎの下方、例えば、地下に埋設された排水管Ｓに接続され、最下層の部分管路Ｌｎにおいて異常に高い水圧が発生するときには、この逆止弁付きリリーフ弁Ｒｚで検知し、逆止弁付きリリーフ弁が開き、水道水を排水管Ｓに排出して異常水圧の発生を防止できるようになっている。
【００２０】
尚、上記実施例においては、部分管路の落差を１．５ｋｇ／ｃｍ２としたが、もっと大きな落差としてもよい。この場合には、部分管路内で複数の階層に分けて、各層間に別個に減圧弁を設けるようにすればよい。
また、減圧弁とリリーフ弁を部分管路の高い位置に設けたが、この発明においては、どのような高さの位置に設けたものであってもよい。しかし、各部分管路でバラバラの高さに設けるより、各部分管路で同じ高さに設けられているのが好ましい。
【００２１】
また、この発明の給水配管システムは、高層ビルの給水だけでなく、開閉が必要な高落差の農業用灌漑給水配管システムにも適用できる。この場合には、配管材料が耐えるだけの高さ毎に減圧弁とリリーフ弁とを並列に配管すればよい。強度のある鋼管や鋳鉄管を使用すれば、減圧弁とリリーフ弁との設置箇所を少なくできる。灌漑が必要な位置で給水配管から分岐して止水弁を取り付ければよい。尚、灌漑用の配管において、最下層の部分管路に設けられるリリーフ弁からの排水は、溝に排水すればよい。
【００２２】
次に、請求項４に記載の弁体の構造の一実施例を図２〜３により説明する。この実施例は減圧弁とリリーフ弁の機能を併せ持った弁体の一例を示すもので、図２は平面図、図３（イ）および図３（ロ）は、図２のＡ−Ａ矢視およびＢ−Ｂ矢視における断面図である。
【００２３】
図で、１は枠体で、この枠体１内に減圧弁２とリリーフ弁３とが形成されている。減圧弁２は、シリンダー２０内にピストン２１が設けられ、シリンダー２０には、一方の端部に開弁圧力調整ばね２２が設けられ、他方の端部に二次側管路５に連結する流路２３が形成されている。２４は二次側管路５と接続するための出口側接続口である。
【００２４】
リリーフ弁３は、シリンダー３０内にピストン３１が設けられ、シリンダー３０には、一方の端部に開弁圧力調整ばね３２が設けられ、他方の端部に一次側管路４に連結する流路３３が形成されている。３４は一次側管路４と接続するための入口側接続口である。
【００２５】
シリンダー２０の中間位置には周方向の環状溝２０ａが形成され、ピストン２１には、調整ばね２２で押されてピストン２１がシリンダー２０の他方の端部側に当接した状態で、前記環状溝２０ａに対応する位置の外周に環状溝２１ａが形成され、この環状溝２１ａはピストン２１の中央縦孔２１ｂに連結し、この縦孔２１ｂはピストン２１の他方の端部に開口している。
ピストン２１がシリンダー２０の他方の端部側に当接している状態では、入口側接続口３４からピストン２１の環状溝２１ａ、縦孔２１ｂ、流路２３、出口側接続口２４を通じて、二次側管路５に通じており、減圧弁２が開の状態にある。この状態は、一次側管路４と二次側管路５が通じていて、水道水が、一次側管路４から二次側管路５へ流れる状態である。
【００２６】
水道水の流動により二次側管路５の水圧が上昇すると、その水圧により、シリンダー２０の一方の端部に設けられた開弁圧力調整ばね２２の押圧力に打ち勝ってピストン２１を押し上げ、入口側接続口３４をピストン２１の外周面で閉塞する。ピストン２１の移動により一次側管路４は二次側管路５と遮断されて、水道水の流動は中断する。
二次側管路５で水道水が消費されて、二次側管路５の水圧が低下すると、開弁圧力調整ばね２２の押圧力でピストン２１をシリンダー２０の他方の端部側に移動する。ピストン２１の移動により、一次側管路４は二次側管路５と通じて、水道水が流動する。減圧弁２はこのように作動する。
【００２７】一方、リリーフ弁３については、シリンダー３０の中間位置には周方向の環状溝３０ａが形成され、この環状溝３０ａに連結して出口側接続口２４が設けられている。
ピストン３１は、開弁圧力調整ばね３２で押されてピストン３１の他方の端部がシリンダー３０の他方の端部側に当接した状態にある時、即ち、ピストン３１の他方の端部にかかる水圧が開弁圧力ばね３２の押圧力より弱いときには、減圧弁２の開閉に係わらず閉じているが、減圧弁２が閉じていて、一次側管路４内の水圧が異常に上昇すると、一次側管路４、入口側接続口３４、環状溝２０ａ、流路３３、シリンダー３０の他方の端部へと水圧が伝わり、ピストン３１を調整ばね３２の押圧力に打ち勝って一方の端部側へ移動させる。
調整ばね３２に打ち勝ってピストン３１が移動した位置で、環状溝３０ａに対応するピストン３１の外周面に周方向の環状溝３１ａが形成され、この環状溝３１ａはピストン３１の中央縦孔３１ｂに連結し、この縦孔３１ｂはピストン３１の他方の端部に開口している。
【００２８】
従って、一次側管路４内に水圧の異常上昇が発生して、ピストン３１が調整ばね３２の押圧力に打ち勝って一方の端部側へ移動すると、この上昇した水道水はシリンダー３０の他方の端部からピストン３１の縦孔３１ｂ、環状溝３１ａ、環状溝３０ａ、出口側接続口２４を通って、二次側流路５へと流れ、一次側流路で発生した高い異常水圧が解消される。
異常水圧が解消すると、調整ばね３２の押圧力により、ピストン３１はシリンダー３０の他方の端部に当接する位置に移動し、水道水の流動は止まる。
リリーフ弁３は、このように作動して、一次側流路に発生した高い異常水圧を逃がすようになっている。
【００２９】
尚、２５、３５は、開弁圧力調整ばね２２、３２の押圧力を調整するためのハンドルで、減圧弁２およびリリーフ弁３の開閉作動の圧力を高低調整するようになっている。
【００３０】
この弁体を、請求項１または請求項２に記載の給水配管システムに使用したものが請求項３である。
【００３１】
尚、この発明において、減圧弁２が作動する二次側圧力Ｐ２をＣＤとし、リリーフ弁３が作動する一次側圧力Ｐ１をＣＲとして、一次側圧力Ｐ１と二次側圧力Ｐ２とが、どのような圧力であるとどのように作動するのかを図４により説明する。一次側圧力Ｐ１および二次側圧力Ｐ２はいずれも大気圧を基準とする差圧であり、網掛けを施した領域が一次側から二次側への水の流通が生じる範囲である。
【００３２】
図で、Ａで示す領域は、減圧弁２が開、リリーフ弁３が閉となる領域であり、上の部分管路から下の部分管路へ正常な状態で給水が行われる範囲であり、領域Ｂは減圧弁２が開、リリーフ弁３が開となる領域であり、何らかの異常で一次側の水圧が異常に高くなり、一次側管路を保護するために、減圧弁２とリリーフ弁３の両方の弁を通じて水が上の部分管路から下の部分管路へ流れる範囲となる。また、領域Ｃは減圧弁２が閉、リリーフ弁３が開となる領域で、何らかの異常で一次側の水圧が高くなったときに、一次側の管路を保護するために、上の部分管路から下の部分管路へ水を逃がす範囲である。
尚、領域Ｄは減圧弁２もリリーフ弁３も閉となる領域で、減圧弁としての正常な二次側管路の保護がなされる領域である。
【００３３】
【発明の効果】
請求項１記載の給水配管システムにおいては、リリーフ弁が減圧弁と並列に設置されたものとすることにより、部分管路に設けられる減圧弁と並列にリリーフ弁を設置すればよいため、配管施工作業が簡略化されると共に、リリーフ弁の二次側は給水管路に接続されているので、衛生的である。
また、配管システムの減圧弁等の消耗で、異常な高圧となった部分管路における水道水は、リリーフ弁を通して下方の部分管路に排出されていき、水道水として使用されるので、水道水の無駄を無くすことができる。
【００３４】
また、請求項２記載の給水配管システムは、請求項１記載の給水配管システムにおいて、最下層の部分管路には、一次側の圧力が所定圧力に昇圧したことを検知して開くリリーフ弁が設けられているので、最下層の部分管路において異常な高圧となった水道水は、このリリーフ弁を通して排水管に排出されるが、排水管との接続は最下層だけなので、排水用のリリーフ弁についてのみ逆止弁付きのものとすれば、給水配管全体を衛生的に保持できる。
【００３５】
また、請求項３記載の給水配管システムは、請求項１または請求項２記載の給水配管システムにおいて、並列に設けられてなる減圧弁とリリーフ弁が、減圧弁とリリーフ弁とが一体に組付けられ、それぞれのピストンの他方の端部に二次側管路および一次側管路に連結する流路が設けられているので、一次側接続部と二次側接続部をそれぞれ一つだけ設けた弁体となっており、部分管路への取付けも、一次側接続部と二次側接続部を一箇所づつで良いものとなり、施工が簡単となり、弁体の設置スペースも取らない配管が可能となる。
【００３６】また、請求項４記載の弁体は、減圧弁とリリーフ弁とが一体に組付けられ、それぞれのピストンの他方の端部に二次側管路および一次側管路に連結する流路が設けられているので、入口側となる一次側接続口と出口側となる二次側接続口をそれぞれ一つづつ設けた弁体となっており、減圧弁とリリーフ弁との機能を併せ持ったコンパクトな弁体となる。従って、部分管路への取付けスペースも取らず、施工も簡単である。
【図面の簡単な説明】
【図１】この発明の給水配管システムの一実施例を示す説明図である。
【図２】この発明の弁体の位置実施例を示す平面図である。
【図３】図２に示す弁体を示す断面図で、（イ）は図２のＡ−Ａ矢視における断面図、（ロ）は図２のＢ−Ｂ矢視における断面図である。
【図４】この発明の給水配管システムの減圧弁とリリーフ弁との作動を説明するための一次側圧力と二次側圧力の関係を示すグラフである。
【符号の説明】
Ｔ      給水槽
Ｌ      給水管路
Ｌ０、Ｌ１、Ｌ２、・・・・Ｌｎ      部分管路
Ｄ、Ｄ１、Ｄ２、・・・・Ｄｎ        減圧弁
Ｒ、Ｒ２、Ｒ３、・・・・Ｒｎ        リリーフ弁
Ｒｚ    逆止弁付きリリーフ弁
１      枠体
２      減圧弁
２０    シリンダー
２０ａ  環状溝
２１    ピストン
２１ａ  環状溝
２１ｂ  縦孔
２２    開弁圧力調整ばね
２３    流路
２４    出口側接続口
３      リリーフ弁
３０    シリンダー
３０ａ  環状溝
３１    ピストン
３１ｂ  縦孔
３２    開弁圧力調整ばね
３３    流路
３４    入口側接続口
４      一次側管路
５      二次側管路
【図１】
2004360375.tif 000003
【図２】
2004360375.tif 000004
【図３】
2004360375.tif 000005
【図４】
2004360375.tif 000006